(57)【要約】地震発生時の安否確認の精度を向上させる。緊急地震速報に含まれる震源情報をサーバから受信する震源情報受信部１１と、震源情報に基づいて、自端末の最新位置における予想震度を算出する震度算出部１３と、震度算出部１３により算出された予想震度が、予め定めた閾値以上であるか否かを判定する震度判定部１４と、震度判定部１４により予想震度が閾値以上であると判定された場合に、安否情報を入力するための安否入力画面を表示する安否入力画面表示部１５と、安否入力画面に入力された安否情報をサーバに送信する安否情報送信部１６と、を備える。
2014119201.tif 000002
【特許請求の範囲】
【請求項１】
緊急地震速報に含まれる震源情報をサーバから受信する震源情報受信部と、
前記震源情報に基づいて、自端末の最新位置における予想震度を算出する震度算出部と、
前記震度算出部により算出された前記予想震度が、予め定めた閾値以上であるか否かを判定する震度判定部と、
前記震度判定部により前記予想震度が前記閾値以上であると判定された場合に、安否情報を入力するための安否入力画面を表示する安否入力画面表示部と、
前記安否入力画面に入力された前記安否情報を前記サーバに送信する安否情報送信部と、
を備えることを特徴とする携帯端末。
【請求項２】
前記安否入力画面表示部は、ユーザの役職に応じて前記安否入力画面に表示する項目を変更する、ことを特徴とする請求項１記載の携帯端末。
【請求項３】
自端末の最新位置に応じて注意を喚起するためのメッセージを表示するメッセージ表示部を、さらに備えることを特徴とする請求項１または２記載の携帯端末。
【請求項４】
請求項１〜３のいずれか１項に記載の携帯端末と前記サーバとを備える安否確認システムであって、
前記携帯端末が、
前記震源情報受信部により前記震源情報が受信されたときに、自端末の最新の位置情報を前記サーバに応答する位置応答部を、さらに備え、
前記サーバが、
緊急地震速報を受信したときに、前記震源情報を前記携帯端末に送信する震源情報送信部と、
前記位置情報を前記携帯端末から受信する位置情報受信部と、
前記安否情報を前記携帯端末から受信する安否情報受信部と、
前記震源情報の送信後に前記携帯端末から受信する予定の前記位置情報および前記安否情報の受信状況に基づいて、前記携帯端末に発行する要求を決定する要求決定部と、
前記要求決定部により決定された前記要求を前記携帯端末に送信する要求送信部と、を備え、
前記携帯端末が、前記要求に応じたメッセージを表示する、ことを特徴とする安否確認システム。
【請求項５】
携帯端末が、
緊急地震速報に含まれる震源情報をサーバから受信する震源情報受信ステップと、
前記震源情報に基づいて、自端末の最新位置における予想震度を算出する震度算出ステップと、
前記震度算出ステップにおいて算出された前記予想震度が、予め定めた閾値以上であるか否かを判定する震度判定ステップと、
前記震度判定ステップにおいて前記予想震度が前記閾値以上であると判定された場合に、安否情報を入力するための安否入力画面を表示する安否入力画面表示ステップと、
前記安否入力画面に入力された前記安否情報を前記サーバに送信する安否情報送信ステップと、
を含むことを特徴とする安否確認方法。
【請求項６】
前記安否入力画面表示ステップは、ユーザの役職に応じて前記安否入力画面に表示する項目を変更する、ことを特徴とする請求項５記載の安否確認方法。
【請求項７】
前記携帯端末が、自端末の最新位置に応じて注意を喚起するためのメッセージを表示するメッセージ表示ステップを、さらに含むことを特徴とする請求項５または６記載の安否確認方法。
【請求項８】
前記携帯端末が、
前記震源情報受信ステップにおいて前記震源情報が受信されたときに、自端末の最新の位置情報を前記サーバに応答する位置応答ステップを、さらに含み、
前記サーバが、
緊急地震速報を受信したときに、前記震源情報を前記携帯端末に送信する震源情報送信ステップと、
前記位置情報を前記携帯端末から受信する位置情報受信ステップと、
前記安否情報を前記携帯端末から受信する安否情報受信ステップと、
前記震源情報の送信後に前記携帯端末から受信する予定の前記位置情報および前記安否情報の受信状況に基づいて、前記携帯端末に発行する要求を決定する要求決定ステップと、
前記要求決定ステップにより決定された前記要求を前記携帯端末に送信する要求送信ステップと、を含み、
前記携帯端末が、前記要求に応じたメッセージを表示するステップを、さらに含む、
ことを特徴とする請求項５〜７のいずれか１項に記載の安否確認方法。
【請求項９】
コンピュータに、
緊急地震速報に含まれる震源情報をサーバから受信する震源情報受信ステップと、
前記震源情報に基づいて、自端末の最新位置における予想震度を算出する震度算出ステップと、
前記震度算出ステップにおいて算出された前記予想震度が、予め定めた閾値以上であるか否かを判定する震度判定ステップと、
前記震度判定ステップにおいて前記予想震度が前記閾値以上であると判定された場合に、安否情報を入力するための安否入力画面を表示する安否入力画面表示ステップと、
前記安否入力画面に入力された前記安否情報を前記サーバに送信する安否情報送信ステップと、
を実行させることを特徴とする安否確認プログラム。
【請求項１０】
前記安否入力画面表示ステップは、ユーザの役職に応じて前記安否入力画面に表示する項目を変更する、ことを特徴とする請求項９記載の安否確認プログラム。
【請求項１１】
前記コンピュータに、自端末の最新位置に応じて注意を喚起するためのメッセージを表示するメッセージ表示ステップを、さらに実行させることを特徴とする請求項９または１０記載の安否確認プログラム。
【発明の詳細な説明】
【技術分野】
【０００１】
本発明は、携帯端末、安否確認システム、安否確認方法および安否確認プログラムに関する。
【背景技術】
【０００２】
地震が発生したときに、社員が所持する携帯端末から社員の安否情報を収集する安否確認システムが、下記特許文献１に記載されている。この安否確認システムでは、安否情報を入力するように要求するための安否確認通知を、サーバから携帯端末に送信し、携帯端末が安否情報をサーバに送信している。つまり、このシステムでは、安否確認通知を受信した携帯端末が安否情報をサーバに送信することで、安否情報を収集している。
【先行技術文献】
【特許文献】
【０００３】
【特許文献１】特開２００５−２５８６３８号公報
【発明の概要】
【発明が解決しようとする課題】
【０００４】
ところで、東日本大震災のような大地震が発生したときには、ネットワークが混み合い、通信回線が繋がり難くなることが確認されている。したがって、特許文献１に記載の安否確認システムでは、大地震発生時に、サーバが送信した安否確認通知を携帯端末が受信できない事態や、携帯端末が送信した安否情報をサーバが受信できない事態が生じ、安否情報の収集が困難になることが想定される。また、安否確認通知を確認して、ユーザ自身でメールを起動することや、Ｗｅｂにアクセスすることが必要になるため、手間がかかる。【０００５】
本発明は、上述した課題を解決するためになされたものであり、地震発生時の安否確認の精度を向上させることができる携帯端末、安否確認システム、安否確認方法および安否確認プログラムを提供することを目的の一つとする。
【課題を解決するための手段】
【０００６】
本発明の一態様である携帯端末は、緊急地震速報に含まれる震源情報をサーバから受信する震源情報受信部と、前記震源情報に基づいて、自端末の最新位置における予想震度を算出する震度算出部と、前記震度算出部により算出された前記予想震度が、予め定めた閾値以上であるか否かを判定する震度判定部と、前記震度判定部により前記予想震度が前記閾値以上であると判定された場合に、安否情報を入力するための安否入力画面を表示する安否入力画面表示部と、前記安否入力画面に入力された前記安否情報を前記サーバに送信する安否情報送信部と、を備える。【０００７】
本発明の一態様である安否確認システムは、前記携帯端末と前記サーバとを備える安否確認システムであって、前記携帯端末が、前記震源情報受信部により前記震源情報が受信されたときに、自端末の最新の位置情報を前記サーバに応答する位置応答部を、さらに備え、前記サーバが、緊急地震速報を受信したときに、前記震源情報を前記携帯端末に送信する震源情報送信部と、前記位置情報を前記携帯端末から受信する位置情報受信部と、前記安否情報を前記携帯端末から受信する安否情報受信部と、前記震源情報の送信後に前記携帯端末から受信する予定の前記位置情報および前記安否情報の受信状況に基づいて、前記携帯端末に発行する要求を決定する要求決定部と、前記要求決定部により決定された前記要求を前記携帯端末に送信する要求送信部と、を備え、前記携帯端末が、前記要求に応じたメッセージを表示する。【０００８】
本発明の一態様である安否確認方法は、携帯端末が、緊急地震速報に含まれる震源情報をサーバから受信する震源情報受信ステップと、前記震源情報に基づいて、自端末の最新位置における予想震度を算出する震度算出ステップと、前記震度算出ステップにおいて算出された前記予想震度が、予め定めた閾値以上であるか否かを判定する震度判定ステップと、前記震度判定ステップにおいて前記予想震度が前記閾値以上であると判定された場合に、安否情報を入力するための安否入力画面を表示する安否入力画面表示ステップと、前記安否入力画面に入力された前記安否情報を前記サーバに送信する安否情報送信ステップと、を含む。【０００９】
本発明の一態様である安否確認プログラムは、コンピュータに、緊急地震速報に含まれる震源情報をサーバから受信する震源情報受信ステップと、前記震源情報に基づいて、自端末の最新位置における予想震度を算出する震度算出ステップと、前記震度算出ステップにおいて算出された前記予想震度が、予め定めた閾値以上であるか否かを判定する震度判定ステップと、前記震度判定ステップにおいて前記予想震度が前記閾値以上であると判定された場合に、安否情報を入力するための安否入力画面を表示する安否入力画面表示ステップと、前記安否入力画面に入力された前記安否情報を前記サーバに送信する安否情報送信ステップと、を実行させる。
【発明の効果】
【００１０】
本発明によれば、地震発生時の安否確認の精度を向上させることができる。
【図面の簡単な説明】
【００１１】
【図１】実施形態における安否確認システムの構成を例示する図である。
【図２】位置情報および安否情報を安否確認サーバに登録する際の動作を説明するためのフローチャートである。
【図３】本発明に係る携帯端末の最小構成を例示する図である。
【図４】本発明に係る安否確認システムに含まれる安否確認サーバの最小構成を例示する図である。
【発明を実施するための形態】
【００１２】
以下、添付図面を参照して、本発明に係る携帯端末、安否確認システム、安否確認方法および安否確認プログラムの好適な実施形態について説明する。
【００１３】
まず、図１を参照して、実施形態における安否確認システムの構成について説明する。安否確認システム１は、例示的に、携帯端末１０と、安否確認サーバ２０とを備える。携帯端末１０としては、例えば、スマートフォンや携帯情報端末等が該当する。
【００１４】
ここで、携帯端末１０は、物理的には、例えば、ＣＰＵ（Central Processing Unit）と、記憶装置と、入力装置と、ディスプレイ装置と、入出力インターフェースとを含む。記憶装置は、例えば、ＣＰＵで処理されるプログラムやデータを記憶するＲＯＭ（Read Only Memory）、プログラムやデータを記憶する他、制御処理のための各種作業領域として使用するＲＡＭ（Random Access Memory）等を含む。ＣＰＵが、ＲＯＭやＲＡＭに記憶されたプログラムを実行し、入出力インターフェースを介して受信されるメッセージや、入力装置から入力される操作指示、ＲＡＭに展開されるデータ等を処理することで、後述する携帯端末１０における各部の機能を実現する。
【００１５】
また、安否確認サーバ２０は、物理的には、例えば、ＣＰＵと、記憶装置と、入出力インターフェースとを含む。記憶装置は、例えば、ＣＰＵで処理されるプログラムおよびデータを記憶するＲＯＭやＨＤＤ（Hard Disk Drive）、主として制御処理のための各種作業領域として使用するＲＡＭ等を含む。ＣＰＵが、ＲＯＭやＨＤＤに記憶されたプログラムを実行し、入出力インターフェースを介して受信されるメッセージや、ＲＡＭに展開されるデータ等を処理することで、後述する安否確認サーバ２０における各部の機能を実現する。
【００１６】
図１を参照して、携帯端末１０および安否確認サーバ２０の機能構成についてそれぞれ説明する。
【００１７】
図１に示すように、携帯端末１０は、機能的には、例えば、震源情報受信部１１と、位置応答部１２と、震度算出部１３と、震度判定部１４と、安否入力画面表示部１５と、安否情報送信部１６と、メッセージ表示部１７と、を有する。
【００１８】
震源情報受信部１１は、震源情報を安否確認サーバ２０から受信する。震源情報は、気象庁のサーバから配信される緊急地震速報に含まれる情報を用いて生成する。震源情報には、例えば、地震発生時刻、震源位置および地震規模が含まれる。震源位置には、緯度や経度、深さ等が含まれ、地震規模には、マグニチュードや震度等が含まれる。
【００１９】
位置応答部１２は、震源情報受信部１１により震源情報が受信されたときに、自端末の最新の位置情報を安否確認サーバ２０に応答する。位置情報には、例えば、緯度や経度等が含まれる。位置情報は、例示的に、携帯端末１０に搭載されているＧＰＳ（global positioning system）機能等を用いて常時または定期的に測定し、メモリに記憶する。
【００２０】
震度算出部１３は、安否確認サーバ２０から受信した震源情報に基づいて、自端末の最新位置における予想震度と、自端末の最新位置に主要動（Ｓ波）が到達するまでの余裕時間と、を算出する。予想震度および余裕時間は、公知の計算方法を用いて算出することができる。以下に、予想震度および余裕時間を算出する計算方法について、一例を挙げて説明する。
【００２１】
まず、予想震度は、例示的に、以下の手順で算出することができる。最初に、基準基盤上での最大速度を、下記式（１）に示す最大速度距離減衰式を用いて算出する。ここで、式（１）のＰＧＶ６００は基準基盤（Ｓ波速度６００ｍ／Ｓ）での最大速度（ｃｍ／ｓ）であり、Ｍｗはモーメントマグニチュードであり、Ｄは震源の深さ（ｋｍ）であり、Ｘは断層最短距離（ｋｍ）である。
ｌｏｇ（ＰＧＶ６００） ＝ ０．５８Ｍｗ ＋ ０．００３８Ｄ − １．２９ − ｌｏｇ（Ｘ ＋ ０．００２８ × １００．５０Ｍｗ） − ０．００２Ｘ  …（１）
【００２２】
続いて、最新位置における最大速度を、下記式（２）を用いて算出する。ここで、式（２）のＰＧＶは地表での最大速度（ｃｍ／ｓ）であり、ＡＲＶｉは速度増幅度である。この速度増幅度は、防災科研と工学院大学とが作成し提供している「５００ｍメッシュ地形分類データ」を用いることで求めることができる。
ＰＧＶ ＝ ＡＲＶｉ × １．３１ × ＰＧＶ６００  …（２）
【００２３】
続いて、上記式（２）で求めた地表での最大速度ＰＧＶを用いて、地表における最大速度ＰＧＶと計測震度ＩＩＮＳＴＲとの関係式である、下記式（３）を用いて予想震度を算出する。式（３）は、計測震度ＩＩＮＳＴＲが、４ ＜ ＩＩＮＳＴＲ ＜ ７の範囲で適用されるものである。
ＩＩＮＳＴＲ ＝ ２．６８ ＋ １．７２ｌｏｇ（ＰＧＶ） ± ０．２１  …（３）
【００２４】
次に、最新位置における余裕時間は、例示的に、以下の手順で算出することができる。最初に、震源の緯度、経度と、最新位置の緯度、経度とを用いて、震央距離を算出する。続いて、震央距離と、震源の深さと、地震の発生時刻と、気象庁が発行する走時表とを用いて、最新位置に主要動（Ｓ波）が到着する予想時刻を求める。
【００２５】
続いて、主要動（Ｓ波）到着の予想時刻と現在時刻との差から、主要動が到着するまでの余裕時間を求める。
【００２６】
震度判定部１４は、震度算出部１３により算出された予想震度が、予め定めた閾値以上であるか否かを判定する。この閾値は、安否確認が必要となる震度を基準にして設定することができ、この設定値をユーザが任意に変更できることとしてもよい。
【００２７】
安否入力画面表示部１５は、震度判定部１４により予想震度が閾値以上であると判定された場合に、安否情報を入力するための安否入力画面をディスプレイに表示させる。この安否入力画面には、少なくとも安否情報を入力するための項目が設けられていればよい。
【００２８】
なお、安否入力画面表示部１５は、ユーザの役職に応じて安否入力画面に表示する項目を変更することとしてもよい。例えば、ユーザが管理職である場合には、部下への伝達事項等を入力するための項目を追加し、この項目に入力された伝達事項を、登録されている部下全員にメールで送信することとしてもよい。また、ユーザが非管理職である場合には、上司への伝達事項等を入力するための項目を追加し、この項目に入力された伝達事項を、登録されている上司にメールで送信することとしてもよい。これにより、災害時における上司と部下との間の情報伝達を促進できる。
【００２９】
安否情報送信部１６は、安否入力画面での入力が確定した場合に、安否入力画面に入力された安否情報を安否確認サーバ２０に送信する。安否情報を送信する手段として、例示的に、電子メールを用いてもよいし、ＳＮＳ（social networking service）等のようにインターネットを利用したサービスを用いてもよい。
【００３０】
メッセージ表示部１７は、震度判定部１４により予想震度が閾値以上であると判定された場合に、自端末の最新位置に応じて注意を喚起するためのメッセージをディスプレイに表示させる。具体的に説明する。例えば、自端末の最新位置が海岸付近である場合には、津波警報に対して注意を喚起するためのメッセージを表示する。また、自端末の最新位置が危険を及ぼし得る施設付近である場合には、危険な施設に対して注意を喚起するためのメッセージを表示する。危険を及ぼし得る施設としては、例えば、原子力発電所や、化学プラント、石油コンビナート等が該当する。
【００３１】
また、メッセージ表示部１７は、震度判定部１４により予想震度が閾値未満であると判定された場合であっても、自端末の最新位置から遠く離れた場所で大地震が発生する場合には、遠方での大地震に対して注意を喚起するためのメッセージを表示することとしてもよい。
【００３２】
メッセージ表示部１７は、安否確認サーバ２０から各種要求を受信した場合に、その各種要求の内容をユーザに知らせるためのメッセージをディスプレイに表示させる。具体的に説明すると、例えば、安否入力画面の起動要求を受信した場合には、安否入力画面の起動を促すメッセージを表示する。また、位置情報の送信要求やＧＰＳ機能のＯＮ要求を受信した場合には、位置情報が未送信である旨のメッセージを表示する。
【００３３】
図１に示すように、安否確認サーバ２０は、機能的には、例えば、緊急地震速報受信部２１と、震源情報送信部２２と、位置情報受信部２３と、安否情報受信部２４と、要求決定部２５と、要求送信部２６と、を有する。
【００３４】
緊急地震速報受信部２１は、気象庁のサーバから配信される緊急地震速報を受信する。震源情報送信部２２は、緊急地震速報を受信した場合に、緊急地震速報に含まれる震源情報を携帯端末１０に送信する。
【００３５】
位置情報受信部２３は、携帯端末１０の最新の位置情報を受信し、受信した位置情報を位置情報データベース２７に保存する。安否情報受信部２４は、携帯端末１０で入力された安否情報を受信し、受信した安否情報を安否情報データベース２８に保存する。
【００３６】
要求決定部２５は、震源情報の送信後に携帯端末１０から受信する予定の位置情報および安否情報の受信状況に基づいて、携帯端末１０に発行する要求を決定する。具体的に説明すると、要求決定部２５は、震源情報が送信された後、定期的に、位置情報データベース２７および安否情報データベース２８を参照し、各携帯端末１０から位置情報および安否情報を受信しているか否かを判定する。要求決定部２５は、携帯端末１０から、位置情報を受信し、安否情報を受信していないと判定した場合には、その携帯端末１０に発行する要求を、安否入力画面の起動要求、および位置情報の再送信要求に決定する。
【００３７】
また、要求決定部２５は、携帯端末１０から、位置情報を受信しておらず、安否情報を受信していると判定した場合には、その携帯端末１０に発行する要求を、位置情報の送信要求やＧＰＳ機能のＯＮ要求に決定する。さらに、要求決定部２５は、携帯端末１０から、位置情報および安否情報のいずれも受信していないと判定した場合には、その携帯端末１０に発行する要求を、安否入力画面の起動要求、および位置情報の送信要求やＧＰＳ機能のＯＮ要求に決定する。
【００３８】
これにより、地震発生後に携帯端末１０から受信する予定になっている位置情報や安否情報の受信状況に応じて、不足している情報を送信するように促すことができるため、地震が発生した際の位置情報や安否情報の回収率を高めることが可能となる。
【００３９】
要求送信部２６は、要求決定部２５により決定された各種要求を携帯端末１０に送信する。
【００４０】
次に、図２を参照して、位置情報および安否情報を安否確認サーバに登録する際の動作について説明する。
【００４１】
最初に、安否確認サーバ２０の緊急地震速報受信部２１が緊急地震速報を受信する（ステップＳ１０１）と、安否確認サーバ２０の震源情報送信部２２は、緊急地震速報に含まれる震源情報を携帯端末１０に送信する（ステップＳ１０２）。これにより、携帯端末１０の震源情報受信部１１が震源情報を受信することになる。
【００４２】
続いて、携帯端末１０の位置応答部１２は、自端末の最新の位置情報を安否確認サーバ２０に応答する（ステップＳ１０３）。これにより、安否確認サーバ２０の位置情報受信部２３が携帯端末１０の最新の位置情報を受信することになる。
【００４３】
続いて、安否確認サーバ２０の位置情報受信部２３は、受信した位置情報を位置情報データベース２７に保存する（ステップＳ１０４）。
【００４４】
一方、携帯端末１０の震度算出部１３は、受信した震源情報に基づいて、自端末の最新位置における予想震度と、自端末の最新位置に主要動（Ｓ波）が到達するまでの余裕時間と、を算出する（ステップＳ１０５）。
【００４５】
続いて、携帯端末１０の震度判定部１４は、算出した予想震度が、予め定めた閾値以上であるか否かを判定する（ステップＳ１０６）。この判定がＮＯである場合（ステップＳ１０６；ＮＯ）には、本動作を終了する。
【００４６】
一方、上記ステップＳ１０６の判定で予想震度が閾値以上であると判定された場合（ステップＳ１０６；ＹＥＳ）に、携帯端末１０の安否入力画面表示部１５は、安否情報を入力するための安否入力画面をディスプレイに表示させる（ステップＳ１０７）。
【００４７】
続いて、携帯端末１０の安否情報送信部１６は、安否入力画面での入力が確定した場合に、安否入力画面に入力された安否情報を安否確認サーバ２０に送信する（ステップＳ１０８）。これにより、安否確認サーバ２０の安否情報受信部２４が安否情報を受信することになる。
【００４８】
続いて、安否確認サーバ２０の安否情報受信部２４は、受信した安否情報を安否情報データベース２８に保存する（ステップＳ１０９）。
【００４９】
上述したように、実施形態における安否確認システム１によれば、携帯端末１０の震源情報受信部１１が、緊急地震速報に含まれる震源情報を安否確認サーバ２０から受信し、位置応答部１２が、自端末の最新の位置情報を安否確認サーバ２０に応答することで、緊急地震速報が配信された直後のネットワークが未だ混み合っていないときに、各携帯端末１０の最新の位置情報を安否確認サーバ２０に送信することができる。
【００５０】
また、携帯端末１０の震度算出部１３が、震源情報に基づいて自端末の最新位置における予想震度を算出し、震度判定部１４が、予想震度が閾値以上であるか否かを判定し、予想震度が閾値以上である場合に、安否入力画面表示部１５が、安否情報を入力するための安否入力画面を表示し、安否情報送信部１６が、安否入力画面に入力された安否情報を安否確認サーバ２０に送信することで、予想震度が閾値以上である場合に、携帯端末１０が自主的に、安否情報の入力をユーザに促し、入力された安否情報を安否確認サーバ２０に送信することができる。
【００５１】
また、安否確認サーバ２０の震源情報送信部２２が、緊急地震速報を受信したときに、震源情報を携帯端末１０に送信し、位置情報受信部２３が、最新の位置情報を携帯端末１０から受信し、安否情報受信部２４が、安否情報を携帯端末１０から受信し、要求決定部２５が、震源情報の送信後に携帯端末１０から受信する予定の位置情報および安否情報の受信状況に基づいて、携帯端末１０に発行する要求を決定し、要求送信部２６が、決定された要求を携帯端末１０に送信することで、不足している情報を送信するように促すことができるため、地震発生時における位置情報や安否情報の回収率を高めることができる。
【００５２】
それゆえに、実施形態における安否確認システム１によれば、地震発生時の安否確認の精度を向上させることが可能となる。
【００５３】
[変形例]
なお、上述した実施形態は、単なる例示に過ぎず、実施形態に明示していない種々の変形や技術の適用を排除するものではない。すなわち、本発明は、その趣旨を逸脱しない範囲で様々な形態に変形して実施することができる。
【００５４】
例えば、上述した実施形態の携帯端末１０において、以下の機能を追加してもよい。携帯端末１０は、震度判定部１４により予想震度が閾値以上であると判定された場合に、ユーザにより予め登録されたアプリケーション（例えばワンセグアプリ等）を起動させることとしてもよい。また、携帯端末１０は、震度判定部１４により予想震度が閾値以上であると判定された場合に、ユーザの同僚の位置情報および安否情報を送信するように安否確認サーバ２０に要求し、その要求に応じて安否確認サーバ２０から送信された位置情報および安否情報をディスプレイに表示させることとしてもよい。
【００５５】
また、上述した実施形態における安否確認システム１の携帯端末１０および安否確認サーバ２０は、図１に示す各機能を構成要素としているが、本発明に係る携帯端末１０および安否確認サーバ２０の構成は、これに限定されない。本発明の最小構成について説明する。図３は、本発明に係る携帯端末１０の最小構成を例示する図である。図４は、本発明に係る安否確認システム１に含まれる安否確認サーバ２０の最小構成を例示する図である。
【００５６】
図３に示すように、携帯端末１０は、機能的に、少なくとも、震源情報受信部１１と、震度算出部１３と、震度判定部１４と、安否入力画面表示部１５と、安否情報送信部１６と、を有していればよい。
【００５７】
図４に示すように、安否確認サーバ２０は、機能的に、少なくとも、震源情報送信部２２と、位置情報受信部２３と、安否情報受信部２４と、要求決定部２５と、要求送信部２６と、を有していればよい。
【００５８】
上述した実施形態の一部または全部は、以下の付記のようにも記載され得るが、本発明を以下のように限定するものではない。
【００５９】
（付記１）  緊急地震速報に含まれる震源情報をサーバから受信する震源情報受信部と、前記震源情報に基づいて、自端末の最新位置における予想震度を算出する震度算出部と、前記震度算出部により算出された前記予想震度が、予め定めた閾値以上であるか否かを判定する震度判定部と、前記震度判定部により前記予想震度が前記閾値以上であると判定された場合に、安否情報を入力するための安否入力画面を表示する安否入力画面表示部と、前記安否入力画面に入力された前記安否情報を前記サーバに送信する安否情報送信部と、を備えることを特徴とする携帯端末。
【００６０】
（付記２）  前記安否入力画面表示部は、ユーザの役職に応じて前記安否入力画面に表示する項目を変更する、ことを特徴とする付記１記載の携帯端末。
【００６１】
（付記３）  自端末の最新位置に応じて注意を喚起するためのメッセージを表示するメッセージ表示部を、さらに備えることを特徴とする付記１または２記載の携帯端末。
【００６２】
（付記４）  付記１〜３のいずれかに記載の携帯端末と前記サーバとを備える安否確認システムであって、前記携帯端末が、前記震源情報受信部により前記震源情報が受信されたときに、自端末の最新の位置情報を前記サーバに応答する位置応答部を、さらに備え、前記サーバが、緊急地震速報を受信したときに、前記震源情報を前記携帯端末に送信する震源情報送信部と、前記位置情報を前記携帯端末から受信する位置情報受信部と、前記安否情報を前記携帯端末から受信する安否情報受信部と、前記震源情報の送信後に前記携帯端末から受信する予定の前記位置情報および前記安否情報の受信状況に基づいて、前記携帯端末に発行する要求を決定する要求決定部と、前記要求決定部により決定された前記要求を前記携帯端末に送信する要求送信部と、を備え、前記携帯端末が、前記要求に応じたメッセージを表示する、ことを特徴とする安否確認システム。
【００６３】
（付記５）  携帯端末が、緊急地震速報に含まれる震源情報をサーバから受信する震源情報受信ステップと、前記震源情報に基づいて、自端末の最新位置における予想震度を算出する震度算出ステップと、前記震度算出ステップにおいて算出された前記予想震度が、予め定めた閾値以上であるか否かを判定する震度判定ステップと、前記震度判定ステップにおいて前記予想震度が前記閾値以上であると判定された場合に、安否情報を入力するための安否入力画面を表示する安否入力画面表示ステップと、前記安否入力画面に入力された前記安否情報を前記サーバに送信する安否情報送信ステップと、を含むことを特徴とする安否確認方法。
【００６４】
（付記６）  前記安否入力画面表示ステップは、ユーザの役職に応じて前記安否入力画面に表示する項目を変更する、ことを特徴とする付記５記載の安否確認方法。
【００６５】
（付記７）  前記携帯端末が、自端末の最新位置に応じて注意を喚起するためのメッセージを表示するメッセージ表示ステップを、さらに含むことを特徴とする付記５または６記載の安否確認方法。
【００６６】
（付記８）  前記携帯端末が、前記震源情報受信ステップにおいて前記震源情報が受信されたときに、自端末の最新の位置情報を前記サーバに応答する位置応答ステップを、さらに含み、前記サーバが、緊急地震速報を受信したときに、前記震源情報を前記携帯端末に送信する震源情報送信ステップと、前記位置情報を前記携帯端末から受信する位置情報受信ステップと、前記安否情報を前記携帯端末から受信する安否情報受信ステップと、前記震源情報の送信後に前記携帯端末から受信する予定の前記位置情報および前記安否情報の受信状況に基づいて、前記携帯端末に発行する要求を決定する要求決定ステップと、前記要求決定ステップにより決定された前記要求を前記携帯端末に送信する要求送信ステップと、を含み、前記携帯端末が、前記要求に応じたメッセージを表示するステップを、さらに含む、ことを特徴とする付記５〜７のいずれかに記載の安否確認方法。
【００６７】
（付記９）  コンピュータに、緊急地震速報に含まれる震源情報をサーバから受信する震源情報受信ステップと、前記震源情報に基づいて、自端末の最新位置における予想震度を算出する震度算出ステップと、前記震度算出ステップにおいて算出された前記予想震度が、予め定めた閾値以上であるか否かを判定する震度判定ステップと、前記震度判定ステップにおいて前記予想震度が前記閾値以上であると判定された場合に、安否情報を入力するための安否入力画面を表示する安否入力画面表示ステップと、前記安否入力画面に入力された前記安否情報を前記サーバに送信する安否情報送信ステップと、を実行させることを特徴とする安否確認プログラム。
【００６８】
（付記１０）  前記安否入力画面表示ステップは、ユーザの役職に応じて前記安否入力画面に表示する項目を変更する、ことを特徴とする付記９記載の安否確認プログラム。
【００６９】
（付記１１）  前記コンピュータに、自端末の最新位置に応じて注意を喚起するためのメッセージを表示するメッセージ表示ステップを、さらに実行させることを特徴とする付記９または１０記載の安否確認プログラム。
【００７０】
この出願は、２０１３年１月３１日に出願された日本出願特願２０１３−０１７００６を基礎とする優先権を主張し、その開示の全てをここに取り込む。
【００７１】
以上、実施形態を参照して本発明を説明したが、本発明は上記実施形態に限定されるものではない。本発明の構成や詳細には、本発明のスコープ内で当業者が理解し得る様々な変更をすることができる。
【産業上の利用可能性】
【００７２】
本発明に係る携帯端末、安否確認システム、安否確認方法および安否確認プログラムは、地震発生時の安否確認の精度を向上させることに適している。
【符号の説明】
【００７３】
１…安否確認システム
１０…携帯端末
１１…震源情報受信部
１２…位置応答部
１３…震度算出部
１４…震度判定部
１５…安否入力画面表示部
１６…安否情報送信部
１７…メッセージ表示部
２０…安否確認サーバ
２１…緊急地震速報受信部
２２…震源情報送信部
２３…位置情報受信部
２４…安否情報受信部
２５…要求決定部
２６…要求送信部
２７…位置情報データベース
２８…安否情報データベース
【図１】
2014119201.tif 000003
【図２】
2014119201.tif 000004
【図３】
2014119201.tif 000005
【図４】
2014119201.tif 000006
【国際調査報告】
2014119201.tif 000007
2014119201.tif 000008
2014119201.tif 000009
2014119201.tif 000010